(57)【特許請求の範囲】
【請求項１】
少なくとも、音声または情報データ信号を無線により送受信するプレストーク式無線装置において、データ伝送するためのＵＳＢインターフェイス部及びＵＳＢプロトコル変換部と、ＵＳＢケーブルを介して上記ＵＳＢインターフェイス部及びＵＳＢプロトコル変換部に接続されたコンピュータ装置とを備え、該コンピュータ装置は上記無線装置の操作及び表示機能を有する操作部及び表示部を具備し、上記無線装置との間で操作情報データ及び表示情報データの伝送を行い、かつ、上記表示部に上記無線装置が無線信号の送信時には送信中を示す表示がなされ、無線装置が無線信号の受信時には受信中を示す表示がなされることを特徴とするプレストーク式無線装置。
【発明の詳細な説明】
【０００１】
【発明の属する技術分野】
本発明は、コンピュータ装置と接続する無線装置及びそれを利用した無線通信システムに関するものである。
【０００２】
【従来の技術】
図８は、コンピュータ装置と接続する従来の無線装置２１に関するブロック図である。図８において、２２はＣＰＵなどの信号処理装置、２３は無線装置２１の操作部、２４は表示部、３はアンテナを介して無線信号の送信を行う送信部、４は無線信号の受信を行う受信部、５は音声を出力するスピーカ、６は音声を入力するマイク、９は無線装置２１と接続するコンピュータ装置、３０は複数の無線装置２１を集中的に制御する集中制御装置である。
【０００３】
操作部２３及び表示部２４は信号処理装置２２とインターフェース（ＳＩＯ１）２５で接続され、操作情報、表示情報が伝達される。また、コンピュータ装置９が、インターフェース（ＳＩＯ２）２６でＳＩＯ２インターフェイス部２７を介して無線装置２１の信号処理装置２２と接続され、情報データの伝達が行われる。さらに、集中制御装置３０はインターフェース（ＳＩＯ３）２８でＳＩＯ３インターフェイス部２９を介して無線装置２１の信号処理装置２２と接続され、複数の無線装置の集中制御が行われる。
【０００４】
【発明が解決しようとする課題】
このような従来の無線装置では、無線装置の操作表示に関する部分や外部に接続されるコンピュータ装置、集中制御装置等と信号処理装置との間の情報・制御データの送受信にそれぞれ別々のインターフェースがもちいられているために信号処理装置が別々のインターフェースに応答を返す必要があり、信号処理が煩雑であると同時に物理インターフェイスが複数存在するため、製品コストの引き上げにつながっていた。
【０００５】
また、従来コンピュータ装置と無線装置の接続はＲＳ−２３２Ｃインターフェースがもちいられていたので、１台のコンピュータ装置に複数の無線装置を接続することができなかった。さらに、通信速度については、音声データのようなリアルタイム性を必要とする高速データ通信はできないなどの問題点があった。
【０００６】
この発明は上記のような問題点を解消するためになされたもので、コンピュータ装置と接続される無線装置において、信号処理装置の負荷を減らすとともに、物理インターフェースを減らすことにより、コストを引き下げることと、コンピュータ装置に複数の無線装置を接続可能とすることを目的とする。
【０００７】
【課題を解決するための手段】
この発明は、少なくとも、音声または情報データ信号を無線により送受信するプレストーク式無線装置において、データ伝送するためのＵＳＢインターフェイス部及びＵＳＢプロトコル変換部と、ＵＳＢケーブルを介して上記ＵＳＢインターフェイス部及びＵＳＢプロトコル変換部に接続されたコンピュータ装置とを備え、該コンピュータ装置は上記無線装置の操作及び表示機能を有する操作部及び表示部を具備し、上記無線装置との間で操作情報データ及び表示情報データの伝送を行い、かつ、上記表示部に上記無線装置が無線信号の送信時には送信中を示す表示がなされ、無線装置が無線信号の受信時には受信中を示す表示がなされるように構成したものである。
【０００９】
【発明の実施の形態】
発明の実施の形態１
以下、この発明の一実施例を図１について説明する。近年、コンピュータ装置とキーボード、マウス、スピーカ、モデム、プリンタ等の周辺機器を接続する規格として、ＵＳＢ（ユニバーサルシリアルバス）がもちいられ始めている。ＵＳＢインターフェースは、周辺機器毎に異なっていたインターフェースを同一のインターフェースでコンピュータ装置に接続できるようにしたものである。本発明の実施の形態はプレストーク式のデジタル無線通信システムを例に説明する。
【００１０】
図１において、１は無線装置、２はＣＰＵなどの信号処理装置、３はアンテナを介して無線信号の送信を行う送信部、４は無線信号の受信を行う受信部、５は音声を出力するスピーカ、６は音声を入力するマイク、７はＵＳＢプロトコル変換部、８はＵＳＢインターフェース部、９はＵＳＢ対応のコンピュータ装置、１０はコンピュータ装置９に具備された操作部、１１はコンピュータ装置９に具備された表示部、１２はコンピュータ装置９から無線装置１へ送信する情報データ生成部、１３はコンピュータ装置９で無線装置１より受信する情報データ蓄積部、１４は無線装置１とコンピュータ装置９を接続するＵＳＢケーブルである。
【００１１】
操作部１０を操作して無線装置１を送信状態に設定し、マイク６に向かって話すと、信号処理装置２で音声を無線信号に変換し、この無線信号は送信部３からアンテナを介して送信される。この時表示部１１には送信中を示す表示が表示されている。また、アンテナを介して受信部４で受信した無線信号は、信号処理装置２で音声信号に変換され、スピーカ６より音声が出力される。この時表示部１１には受信中を示す表示が表示されている。これらの操作情報データおよび表示情報データは無線装置１のＵＳＢプロトコル変換部７でＵＳＢプロトコル信号に変換され、ＵＳＢインターフェイス部８、ＵＳＢケーブル１４を介して無線装置１とコンピュータ装置間で伝送される。また、上記同様コンピュータ装置９から無線装置１へ送信する情報データ、コンピュータ装置９で無線装置１より受信する情報データについても無線装置１のＵＳＢプロトコル変換部７でＵＳＢプロトコル信号に変換され、ＵＳＢインターフェイス部８、ＵＳＢケーブル１４を介して無線装置１とコンピュータ装置９間で伝送される。
【００１２】
発明の実施の形態２
図２にコンピュータ装置間での情報データ通信を無線区間を介して行うシステム構成を示す。図２において、４１はＵＳＢ対応のコンピュータ装置、４２はコンピュータ装置４１にＵＳＢケーブル４３で接続された無線装置、４４は無線装置４２から無線区間を隔てた先にある無線装置で、この無線装置４４はＵＳＢケーブル４５でＵＳＢ対応のコンピュータ装置４６に接続されている。
【００１３】
図３はコンピュータ装置４１からコンピュータ装置４６へコンピュータ装置４１で生成される情報データ４７を送信する場合の送信信号フォーマットを示し、４１Ａはコンピュータ装置４１の自局（送信元）ＩＤデータ、４６Ａはコンピュータ装置４６の相手（送信先）ＩＤデータ、４７は情報データである。コンピュータ装置４１で生成された送信データ４８はＵＳＢケーブル４３を介して無線装置４２へ送信される。無線装置４２は受信した送信データ４８の中の相手（送信先）ＩＤデータ４６Ａに従い無線装置４４へ送信データ４８を送信する。無線装置４４は受信した送信データ４８をＵＳＢケーブル４５を介してコンピュータ装置４６へ送信することにより、情報データ４７がコンピュータ装置４６で受信される。
【００１４】
発明の実施の形態３
上記実施の形態２では情報データ通信の形態を示したが、図４にコンピュータ装置間での音声データ通信を無線区間を介して行うシステム構成を示す。図４において５１はコンピュータ装置４１に具備された音声入力部（マイク）、５２、５３はコンピュータ装置４１、４６それぞれに内蔵された音声をデジタル符号化／復号化するコーデック部、５４はコンピュータ装置４６に具備された音声出力部（スピーカ）である。その他の構成は第２図の実施の形態２と同じである。
【００１５】
図５はコンピュータ装置４１からコンピュータ装置４６へ音声データ４９を送信する場合の送信信号フォーマットを示し、４１Ａはコンピュータ装置４１の自局（送信元）ＩＤデータ、４６Ａはコンピュータ装置４６の相手（送信先）ＩＤデータ、４９はマイク５１に入力された音声がコーデック部５２でデジタルデータ化された音声データである。コンピュータ装置４１で生成された送信データ５０はＵＳＢケーブル４３を介して無線装置４２へ送信される。無線装置４２は受信した送信データ５０の中の相手（送信先）ＩＤデータ４６Ａに従い無線装置４４へ送信データ５０を送信する。無線装置４４は受信した送信データ５０をＵＳＢケーブル４５を介してコンピュータ装置４６へ送信することにより、音声データ４９がコンピュータ装置４６で受信される。コンピュータ装置４６で受信された音声データ４９はコーデック部５３で音声信号に復号化され、スピーカ５４より音声が出力される。なお、コンピュータ装置と無線装置間のＵＳＢ通信は、音声データ通信の場合は、限定的な遅延で一定の転送レートが保証されるアイソクロナス転送モードが使用される。
【００１６】
発明の実施の形態４
上記実施の形態２および３では、情報データ、音声データを送受信する形態のそれぞれを示したが、実施の形態４は図４のシステム構成で、情報データおよび音声データを混合して送受信するものである。図６にコンピュータ装置４１からコンピュータ装置４６へコンピュータ装置４１で生成される情報データおよび音声データの混合データを送信する場合の送信信号フォーマットを示し、４１Ａはコンピュータ装置４１の自局（送信元）ＩＤデータ、４６Ａはコンピュータ装置４６の相手（送信先）ＩＤデータ、６１は音声フラグ、６２は音声データ、６３はデータフラグ、６４はデータ長、６５は情報データである。
【００１７】
コンピュータ装置４１で生成された送信データ６６はＵＳＢケーブル４３を介して無線装置４２へ送信される。無線装置４２は受信した送信データ６６の中の相手（送信先）ＩＤデータ４６Ａに従い無線装置４４へ送信データ６６を送信する。無線装置４４は受信した送信データ６６をＵＳＢケーブル４５を介してコンピュータ装置４６へ送信する。コンピュータ装置４６においては、受信した送信データ６６の中で、音声フラグ６１を検出したら、コーデック部５３で音声信号に復号化され、スピーカ５４より音声が出力される。データフラグ６３が検出されれば、情報データして受信される。
【００１８】
発明の実施の形態５
本発明の実施の形態５では、コンピュータ装置に接続されたＵＳＢハブに無線装置を複数台接続し、無線装置を集中的に制御を行う例について説明する。図７において、７１はＵＳＢ対応のコンピュータ装置、７２はＵＳＢハブ、７３、７４、・・・ｍはＵＳＢケーブルにてコンピュータ装置と接続するためのＵＳＢインターフェイス部とＵＳＢプロトコル変換部を備え、コンピュータ装置との間でデータ伝送を行う複数の無線装置であり、それぞれＵＳＢハブ７２に接続される。
【００１９】
従って、コンピュータ装置７１からの指令情報データは、ＵＳＢインターフェイスを介して、各無線装置７３、７４、・・・ｍへ送信されるので、複数の無線装置を利用しての一斉同報送信ができる。また、各無線装置７３、７４、・・・、ｍがぞれぞれ受信した複数の情報データを、コンピュータ装置７１で集中的に収集（受信）することができる。
【００２０】
【発明の効果】
以上説明したように本発明によれば、音声または情報データ信号を無線により送受信する無線装置において、ＵＳＢケーブルにてコンピュータ装置と接続するためのＵＳＢインターフェイス部とＵＳＢプロトコル変換部を備えることにより、コンピュータ装置と容易に接続でき、コンピュータ装置との間でデータ伝送を行うことができる。また、本発明の無線装置とコンピュータ間での情報データ伝送、無線装置の操作及び表示機能を前記コンピュータ装置に具備された操作部及び表示部を用いることにより一つのインターフェイスで行うことが可能となり、インターフェイスが一つになることより無線装置内の信号処理装置の負荷が低減できる。さらに、無線装置の音声通話機能をコンピュータ装置に具備された音声入力部（マイク）及び音声出力部（スピーカ）を用いることもできる。また、本発明の無線装置を複数台配置し、各無線装置をコンピュータ装置にそれぞれ接続することにより、コンピュータ装置間での情報データ伝送を無線で行うことができる。また、無線装置を複数台配置し、各無線装置をコンピュータ装置にそれぞれ接続することにより、コンピュータ装置間での音声データ伝送を無線で行うことができる。また、複数の無線装置を容易に一台のコンピュータ装置へ同じインターフェイスでの接続が可能となるので、一台のコンピュータ装置で複数の無線装置を集中的に制御することができる。そして上記の全てにおいて無線装置は複数のインターフェイスを持つ必要がないので、コスト削減につながる効果がある。
【図面の簡単な説明】
【図１】  この発明の実施の形態１による無線装置のブロック図である。
【図２】  この発明の実施の形態２による無線通信システムの構成図である。
【図３】  この発明の実施の形態２による送信信号フォーマット構成図である。
【図４】  この発明の実施の形態３による無線通信システムの構成図である。
【図５】  この発明の実施の形態３による送信信号フォーマット構成図である。
【図６】  この発明の実施の形態４による送信信号フォーマット構成図である。
【図７】  この発明の実施の形態５における無線通信システムの構成図である。
【図８】  従来の無線装置のブロック図である。
【符号の説明】
１  無線装置、２  信号処理装置、３  送信部、４  受信部、５  スピーカ、６マイク、７  ＵＳＢプロトコル変換部、８  ＵＳＢインターフェイス部、９  コンピュータ装置、１０  操作部、１１  表示部、１２  情報データ生成部、１３  情報データ蓄積部、４２  無線装置、４３  ＵＳＢケーブル、４４  無線装置、４５  ＵＳＢケーブル、４６  コンピュータ装置、４７  情報データ、４８送信データ、４９  音声データ、５０  送信データ、５１  音声入力部（マイク）、５２  コーデック部、５３  コーデック部、５４  音声出力部（スピーカ）、６１  音声フラグ、６２  音声データ、６３  データフラグ、６４  データ長、６５  情報データ、６６  送信データ、７１  コンピュータ装置、７２  ＵＳＢハブ、７３  無線装置、７４  無線装置、ｍ  無線装置
【図１】
0003804357.tif 000002
【図２】
0003804357.tif 000003
【図３】
0003804357.tif 000004
【図４】
0003804357.tif 000005
【図５】
0003804357.tif 000006
【図６】
0003804357.tif 000007
【図７】
0003804357.tif 000008
【図８】
0003804357.tif 000009